【手続補正書】
【提出日】平成20年2月12日(2008.2.12)
【手続補正１】
【補正対象書類名】明細書
【補正対象項目名】特許請求の範囲
【補正方法】変更
【補正の内容】
【特許請求の範囲】
【請求項１】
接続ポートを有する上位装置と、
前記接続ポートに接続され、情報の転送を制御する情報交換装置と、
前記情報交換装置に接続され、該情報交換装置を介して前記上位装置と前記情報の授受を行う記憶制御装置とを備え、
前記記憶制御装置は、前記接続ポートの識別情報と前記接続ポートのセキュリティ情報とを含む制御テーブルと、前記情報交換装置から得られる前記情報に基づいて前記接続ポートの交換を検出する接続ポート交換検出部と、前記制御テーブルに格納されている接続ポートの識別情報を交換前の接続ポートの識別情報から交換後の接続ポートの識別情報に置き換える接続ポート置換部とを有する
ことを特徴とするコンピュータシステム。
【請求項２】
前記接続ポート交換検出部は、第１の前記接続ポートと前記情報交換装置との接続が解除され、第２の前記接続ポートと前記情報交換装置との接続が確認されたときに、前記第１の接続ポートと前記第２の接続ポートとの交換を検出する
ことを特徴とする請求項１記載のコンピュータシステム。
【請求項３】
前記記憶制御装置は、前記制御テーブルを前記上位装置毎に有する
ことを特徴とする請求項１記載のコンピュータシステム。
【請求項４】
前記制御テーブルは、さらに前記上位装置の識別情報を含む
ことを特徴とする請求項１記載のコンピュータシステム。
【請求項５】
前記上位装置と前記記憶制御装置との間のインタフェースは、ＡＮＳＩ Ｘ３Ｔ１１で標準化されたファイバチャネルである
ことを特徴とする請求項１記載コンピュータシステム。
【請求項６】
前記記憶制御装置に複数の記憶領域を有する記憶装置が接続され、前記制御テーブルをさらに前記記憶領域毎に有する
ことを特徴とする請求項３記載のコンピュータシステム。
【請求項７】
ファイバチャネルポートを有する上位装置と、
前記ファイバチャネルポートに接続され、情報の転送を制御するＦａｂｒｉｃと、
前記Ｆａｂｒｉｃに接続され、該Ｆａｂｒｉｃを介して前記上位装置と前記情報の授受を行う記憶制御装置とを備え、
前記記憶制御装置は、前記上位装置のNode Nameと前記ファイバチャネルポートのPort Nameと前記ファイバチャネルポートのアクセス可否とを含む制御テーブルと、前記Ｆａｂｒｉｃから得られる前記情報に基づいて前記ファイバチャネルポートの交換を検出するファイバチャネルポート交換検出部と、前記制御テーブルに格納されているファイバチャネルポートのPort Nameを交換前のファイバチャネルポートのPort Nameから交換後のファイバチャネルポートのPort Nameに置き換えるPort Name置換部とを有する
ことを特徴とするコンピュータシステム。
【請求項８】
前記記憶制御装置は、前記ファイバチャネルポートの接続状態が変化した前記上位装置のNode Nameを検出するNode Name検出部と、該Node Nameの上位装置が有するファイバチャネルポートのPort Nameを検出するPort Name検出部とを有し、
前記ファイバチャネルポート交換検出部は、前記Port Name検出部によって検出されなかったが前記制御テーブルに格納されている第１のPort Nameと、前記Port Name検出部によって検出されたが前記制御テーブルに格納されていない第２のPort Nameがある場合に、前記第１のPort Nameのファイバチャネルポートと前記第２のPort Nameのファイバチャネルポートとの交換を検出する
ことを特徴とする請求項７記載のコンピュータシステム。
【請求項９】
前記記憶制御装置は、前記制御テーブルを前記上位装置毎に有する
ことを特徴とする請求項７記載のコンピュータシステム。
【請求項１０】
前記制御テーブルは、さらに前記上位装置のNode Nameを含む
ことを特徴とする請求項７記載のコンピュータシステム。
【請求項１１】
前記記憶制御装置は、アクセスを許可するファイバチャネルポートのPort Nameが入力されたときに、アクセスを許可する前記ファイバチャネルポートを有する前記上位装置のNode Nameを検出するNode Name検出部と、該Node Nameの上位装置が有するファイバチャネルポートのPort Nameを検出するPort Name検出部と、前記Node Nameと前記Port Nameと入力されたアクセス可否情報とを含む前記制御テーブルを作成する制御テーブル作成部とを有する
ことを特徴とする請求項７記載のコンピュータシステム。
【請求項１２】
前記上位装置と前記記憶制御装置との間のインタフェースは、ＡＮＳＩ Ｘ３Ｔ１１で標準化されたファイバチャネルである
ことを特徴とする請求項７記載のコンピュータシステム。
【請求項１３】
上位装置が有する接続ポートに接続する情報交換装置を介して、前記上位装置と情報の授受を行う記憶制御装置において、
前記記憶制御装置は、前記接続ポートの識別情報と前記接続ポートのセキュリティ情報とを含む制御テーブルと、前記情報交換装置から得られる前記情報に基づいて前記接続ポートの交換を検出する接続ポート交換検出部と、前記制御テーブルに格納されている接続ポートの識別情報を交換前の接続ポートの識別情報から交換後の接続ポートの識別情報に置き換える接続ポート置換部とを有する
ことを特徴とする記憶制御装置。
【請求項１４】
前記接続ポート交換検出部は、第１の前記接続ポートと前記情報交換装置との接続が解除され、第２の前記接続ポートと前記情報交換装置との接続が確認されたときに、前記第１の接続ポートと前記第２の接続ポートとの交換を検出する
ことを特徴とする請求項１３記載の記憶制御装置。
【請求項１５】
前記制御テーブルを前記上位装置毎に有する
ことを特徴とする請求項１３記載の記憶制御装置。
【請求項１６】
前記制御テーブルは、さらに前記上位装置の識別情報を含む
ことを特徴とする請求項１３記載の記憶制御装置。
【請求項１７】
前記上位装置と前記記憶制御装置との間のインタフェースは、ＡＮＳＩ Ｘ３Ｔ１１で標準化されたファイバチャネルである
ことを特徴とする請求項１３記載の記憶制御装置。
【請求項１８】
上位装置が有するファイバチャネルポートに接続するＦａｂｒｉｃを介して、前記上位装置と情報の授受を行う記憶制御装置において、
前記記憶制御装置は、前記上位装置のNode Nameと前記ファイバチャネルポートのPort Nameと前記ファイバチャネルポートのアクセス可否とを含む制御テーブルと、前記Ｆａｂｒｉｃから得られる前記情報に基づいて前記ファイバチャネルポートの交換を検出するファイバチャネルポート交換検出部と、前記制御テーブルに格納されているファイバチャネルポートのPort Nameを交換前のファイバチャネルポートのPort Nameから交換後のファイバチャネルポートのPort Nameに置き換えるPort Name置換部とを有する
ことを特徴とする記憶制御装置。
【請求項１９】
前記ファイバチャネルポートの接続状態が変化した前記上位装置のNode Nameを検出するNode Name検出部と、該Node Nameの上位装置が有するファイバチャネルポートのPortNameを検出するPort Name検出部とを有し、
前記ファイバチャネルポート交換検出部は、前記Port Name検出部によって検出されなかったが前記制御テーブルに格納されている第１のPort Nameと、前記Port Name検出部によって検出されたが前記制御テーブルに格納されていない第２のPort Nameがある場合に、前記第１のPortNameのファイバチャネルポートと前記第２のPort Nameのファイバチャネルポートとの交換を検出する
ことを特徴とする請求項１８記載の記憶制御装置。
【請求項２０】
前記制御テーブルを前記上位装置毎に有する
ことを特徴とする請求項１８記載の記憶制御装置。
【請求項２１】
前記制御テーブルは、さらに前記上位装置のNode Nameを含む
ことを特徴とする請求項１８記載の記憶制御装置。
【請求項２２】
アクセスを許可するファイバチャネルポートのPort Nameが入力されたときに、アクセスを許可する前記ファイバチャネルポートを有する前記上位装置のNode Nameを検出するNode Name検出部と、該Node Nameの上位装置が有するファイバチャネルポートのPort Nameを検出するPort Name検出部と、前記Node Nameと前記Port Nameと入力されたアクセス可否情報とを含む前記制御テーブルを作成する制御テーブル作成部とを有する
ことを特徴とする請求項１８記載の記憶制御装置。
【請求項２３】
前記上位装置と前記記憶制御装置との間のインタフェースは、ＡＮＳＩ Ｘ３Ｔ１１で標準化されたファイバチャネルである
ことを特徴とする請求項１８記載の記憶制御装置。
【請求項２４】
複数の記憶領域を有する記憶装置が接続され、前記制御テーブルをさらに前記記憶領域毎に有する
ことを特徴とする請求項２０記載の記憶制御装置。
【手続補正２】
【補正対象書類名】明細書
【補正対象項目名】０００５
【補正方法】変更
【補正の内容】
【０００５】
【課題を解決するための手段】
本発明では、コンピュータシステムは、接続ポートを有する上位装置と、前記接続ポートに接続され、情報の転送を制御する情報交換装置と、情報交換装置に接続され、情報交換装置を介して上位装置と情報の授受を行う記憶制御装置とを有している。
【手続補正３】
【補正対象書類名】明細書
【補正対象項目名】００１２
【補正方法】変更
【補正の内容】
【００１２】
メモリ４３上には、本発明を実現するための制御テーブル４８が作成される。制御テーブル４８には上位装置のファイバチャネルポート構成がセキュリティ情報と共にリストアップされる。制御テーブル４８は、上位装置のアクセス可否を決定する目的に加え、ファイバチャネルポートの交換を検出するために使用される。そのため、制御テーブル４８は不揮発領域に保存されることが望ましい。
【手続補正４】
【補正対象書類名】明細書
【補正対象項目名】００２３
【補正方法】変更
【補正の内容】
【００２３】
ここで、図２の６７のセキュリティ設定を行った場合、上位装置１０がファイバチャネルポート１１経由でアクセスした場合はデータ転送を行い、ファイバチャネルポート１２経由でアクセスした場合はデータ転送を行わない。そのために、記憶制御装置４０は、PLOGIを受領した場合に図５に示すシーケンスを実行する。ステップ７５においてPLOGIを受領した記憶制御装置４０は、ステップ７６のPort Nameを取り出し、ステップ７７において制御テーブルと比較する。当該Port Nameが制御テーブルにおいてアクセス可となっていた場合は、ステップ７８においてACCを発行することにより上位装置１０にアクセス可能であることを通知する。当該Port Nameが制御テーブルにおいてアクセス不可となっているか又はPort Nameの登録が制御テーブルにない場合は、ステップ７９においてLS#RJTを発行することにより上位装置１０にアクセス不可であることを通知する。本発明では、以上のように上位装置のアクセスに対しセキュリティをかける。